(57)【要約】【課題】防漏壁の形成に伴う接合部が、肌当接面上に露出していないので着用時に違和感を生じ難く、着用者へのフィット性を高め、ヨレ防止、漏れ防止性を高めることができる吸収性物品を提供すること。【解決手段】本発明の生理用ナプキン１は、表面シート２、裏面シート３及び吸収体４を具備する吸収性本体５と、その長手方向両側部５ａに中空のループ状の防漏壁７とを備えている。防漏壁７は、排泄部領域ａにおいて、中空のループ状をなして起立している。排泄部領域ａにおけるループ状の防漏壁７の接合部８は、表面シート２の長手方向の一側部５ａにおける肌当接面側に、伸縮シート６の一側部６ａが接合されて形成されている。生理用ナプキン１は、接合部８が、防漏壁７のループの外表面（肌当接面側のシート６１）を表面シート２に向けて接合され、中空の防漏壁７が形成されてなる。【選択図】図２
2010042061.tif 000002
【特許請求の範囲】
【請求項１】
肌当接面側に配置された表面シート、非肌当接面側に配置された裏面シート及び両シート間に介在する吸収体を具備する縦長の吸収性本体と、該吸収性本体の長手方向の両側部に形成された防漏壁とを備えた吸収性物品であって、
前記防漏壁それぞれは、伸縮性シートの長手方向の一側部及び他側部を前記吸収性本体に接合部で接合するとともに、排泄部領域の前方及び後方において該伸縮性シートを該吸収性本体に接合して形成され、排泄部領域において、中空のループ状をなして起立しており、
前記排泄部領域におけるループ状の前記防漏壁それぞれの前記接合部は、前記吸収性本体の長手方向の側部における肌当接面側に前記伸縮性シートの前記一側部が接合され、前記吸収性本体の長手方向の側部における非肌当接面側に前記伸縮性シートの前記他側部が接合され、前記伸縮性シートの前記一側部の前記接合部は、前記防漏壁のループの外側表面を前記表面シートに向けて接合することにより、中空のループ状の防漏壁が形成されてなる吸収性物品。
【請求項２】
前記伸縮シートは、弾性部材により伸縮性が付与されており、該弾性部材は、前記吸収性本体の前記表面シートと前記伸縮シートの前記一側部との接合部の長手方向の外側縁より前記防漏壁の内方に存在する請求項１に記載の吸収性物品。
【請求項３】
前記防漏壁それぞれは、前記吸収性本体の前記表面シートと前記伸縮シートの前記一側部との接合部の長手方向の内側縁より前記吸収性物品の内方に亘って形成されており、前記弾性部材は、該内側縁より前記防漏壁の内方に存在する請求項２に記載の吸収性物品。
【請求項４】
前記防漏壁それぞれは、ループ状をなしている部分の前方及び後方の少なくとも一方において、前記吸収性本体の前記表面シートと前記伸縮シートの前記一側部との接合部の長手方向の内側縁より前記吸収性物品の内方に亘って形成されており、該接合部の上方に位置するループ状の前記防漏壁の内表面同士が接合されて、該接合部の長手方向の内側縁より吸収性物品の幅方向内方に内方ループ及び該接合部の長手方向の外側縁より幅方向外方に外方ループが形成されている請求項１〜３の何れかに記載の吸収性物品。
【発明の詳細な説明】
【技術分野】
【０００１】
本発明は、生理用ナプキンや失禁パッド等の吸収性物品に関する。
【背景技術】
【０００２】
従来、着用中の経血等の体液が幅方向に移動して側縁部から漏れてしまう横漏れを防止するため、長手方向両側縁部それぞれに防漏壁を設けた生理用ナプキンが知られている。
また、防漏壁の着用者へのフィット性を高める為に、中空のループ形状の防漏壁が知られている。例えば、引用文献１には、フィット性が高く、着用者の足の動き等の左右からの応力がかかった場合においても、中空のループ形状で緩衝し、生理用ナプキンにヨレを発生させず、漏れ防止性の高い中空のループ形状の防漏壁を備えた生理用ナプキンが開示されている。
【０００３】
しかしながら、引用文献１に記載の生理用ナプキンは、ループ形状の防漏壁を形成する伸縮性シートと生理用ナプキン本体との接合部が、生理用ナプキンの肌当接面上に露出して存在しており、着用時に違和感を生じる場合がある。
【０００４】
【特許文献１】特開平１１−２９９８２１号公報
【発明の開示】
【発明が解決しようとする課題】
【０００５】
従って、本発明の目的は、着用時に違和感を生じ難い中空のループ形状の防漏壁を備え、中空のループ形状の防漏壁を備えることにより、着用者へのフィット性を高め、ヨレ防止、漏れ防止性に優れた吸収性物品を提供することにある。
【課題を解決するための手段】
【０００６】
本発明は、肌当接面側に配置された表面シート、非肌当接面側に配置された裏面シート及び両シート間に介在する吸収体を具備する縦長の吸収性本体と、該吸収性本体の長手方向の両側部に形成された防漏壁とを備えた吸収性物品であって、前記防漏壁それぞれは、伸縮性シートの長手方向の一側部及び他側部を前記吸収性本体に接合部で接合するとともに、排泄部領域の前方及び後方において該伸縮性シートを該吸収性本体に接合して形成され、排泄部領域において、中空のループ状をなして起立しており、前記排泄部領域におけるループ状の前記防漏壁それぞれの前記接合部は、前記吸収性本体の長手方向の側部における肌当接面側に前記伸縮性シートの前記一側部が接合され、前記吸収性本体の長手方向の側部における非肌当接面側に前記伸縮性シートの前記他側部が接合され、前記伸縮性シートの前記一側部の前記接合部は、前記防漏壁のループの外側表面を前記表面シートに向けて接合することにより、中空のループ状の防漏壁が形成されてなる吸収性物品を提供することにより前記目的を達成したものである。
【発明の効果】
【０００７】
本発明の吸収性物品によれば、ループ形状の防漏壁の形成に伴う接合部が、吸収性物品の肌当接面上に露出していないので着用時に違和感を生じ難く、そのようなループ形状の防漏壁を備えているため、着用者へのフィット性を高め、ヨレ防止、漏れ防止性を高めることができる。
【発明を実施するための最良の形態】
【０００８】
以下、本発明の吸収性物品である生理用ナプキンの好ましい一実施形態について、図１〜図４に基づいて説明する。
【０００９】
第１実施形態の生理用ナプキン１は、図１に示すように、生理用ナプキン１の長手方向に延びる中心線ＣＬに対して左右対称に形成されている。
従って、以下には、主として生理用ナプキン１の左側の構成について詳述し、右側の構成については、適宜説明を省略し、左側の構成要素に対応する右側の構成要素は、符号にダッシュ(’)を付してある。
【００１０】
本実施形態の吸収性物品（生理用ナプキン）１は、図１〜図３に示すように、肌当接面側に配置された表面シート２、非肌当接面側に配置された裏面シート３及び両シート２，３間に介在する吸収体４を具備する実質的に縦長の吸収性本体５と、該吸収性本体５の長手方向両側部５ａ，５ａ’それぞれに形成された防漏壁７，７’とを備えている。
防漏壁７，７’それぞれは、図１，図２に示すように、伸縮性シート６，６’の長手方向の一側部６ａ及び他側部６ｂを吸収性本体５に接合部８，８Ｄで接合するとともに、排泄部領域ａの前方及び後方において伸縮性シート６，６’を吸収性本体５に接合して形成され、排泄部領域ａにおいて、中空のループ状をなして起立している。
排泄部領域ａにおけるループ状の防漏壁７，７’それぞれの接合部８は、吸収性本体５の長手方向（ＣＬ方向；ＣＬ線と平行な方向）の側部５ａにおける肌当接面側に、伸縮性シート６，６’の一側部６ａが接合されている。ループ状の防漏壁７，７’それぞれの接合部８Ｄは、吸収性本体５の長手方向（ＣＬ方向）の側部５ａにおける非肌当接面側に、伸縮性シート６，６’の他側部６ｂが接合されて形成されている。
本実施形態の生理用ナプキン１は、図１，図２に示すように、伸縮性シート６，６’の一側部６ａの接合部８が、防漏壁７，７’のループの外側表面（肌当接面側のシート６１）を表面シート２に向けて接合されることにより、中空のループ状の防漏壁７，７’が形成されてなる。
【００１１】
ここで、「排泄部領域ａ」とは、装着者の体液排泄部に当接される領域を意味し、生理用ナプキンが個装形態に折り畳まれた際に生じる製品長手方向（ＣＬ方向）に直交する２つの折線について、生理用ナプキンの長手方向の前端から数えて第１折線と第２折線とに囲まれた領域と同じか又は狭い領域を言う。また、生理用ナプキンの製品長が長く３つの折線が生じる場合には、製品の長手方向の前端から数えて第１折線と第２折線に囲まれた領域あるいは製品の長手方向の前端から数えて第１折線と第３折線とに囲まれた領域と同じか又は狭い領域を言う。本実施形態の生理用ナプキン１における排泄部領域ａは、図１に示すように、いわゆる２つ折の個装形態の際に生じる第１折線ａ１と第２折線ａ２とに囲まれた領域より狭い領域である。
【００１２】
また、「起立」とは、中空のループ状の防漏壁７，７’の上面が表面シート２の表面よりも上方に位置する状態を意味し、「凸に起立」とは、防漏壁７，７’の最も上方に位置する部位が、表面シート２の表面よりも上方に位置する状態を意味する。
【００１３】
本実施形態の生理用ナプキン１について、詳述すると、本実施形態の生理用ナプキン１は、図１に示すように、その長手方向（ＣＬ方向）に、装着者の体液排泄部に当接される排泄部領域ａ後方に後方領域ｂ、排泄部領域ａ、排泄部領域ａの前方に前方領域ｃを備えている。防漏壁７は、少なくとも排泄部領域ａにおいて、ループ状をなして起立している。このように、防漏壁７のループ状をなして起立している部分は、排泄部領域ａよりも、長手方向（ＣＬ方向）に広い領域であり、本実施形態の生理用ナプキン１Ａにおいては、いわゆる２つ折の個装形態の際に生じる第１折線ａ１と第２折線ａ２とに囲まれた領域と略同じ大きさの領域である。本実施形態の生理用ナプキン１は、図１〜図４に示すように、表面シート２、裏面シート３及び吸収体４を具備し、表面シート２と吸収体４とを固定する一対のエンボス溝９を具備している。エンボス溝９は、生理用ナプキン１の両側部に、長手方向に延びて延在している。表面シート２及び裏面シート３それぞれは、吸収体４よりも大きい外径寸法を有している。表面シート２及び裏面シート３は、生理用ナプキン１の長手方向の両端部において、吸収体４の長手方向の両端部から延出し、その延出部は互いにヒートシール等により接合されて吸収性本体５を形成している。裏面シート３の表面には、粘着剤が塗布されてズレ止め部（不図示）が形成されている。これらの構成は、従来品と同じである。
【００１４】
次いで、本実施形態の生理用ナプキン１のループ状の防漏壁７について説明する。
本実施形態の生理用ナプキン１では、図１〜図４に示すように、帯状の伸縮シート６が、吸収性本体５の長手方向（ＣＬ方向）の側部５ａに、長手方向に沿って、配設及び固定されており、伸縮シート６の収縮により、肌当接面側に凸に起立した中空のループ状の防漏壁７が形成される。
【００１５】
上記伸縮シート６は、本実施形態の生理用ナプキン１においては、弾性部材６３により伸縮性が付与された複合シートである。伸縮シート６は、図２〜図４に示すように、肌当接面側のシート６１と、非肌当接面側のシート６２と、それらのシート６１，６２間に、複数本の弾性部材６３を配置して形成されている。肌当接面側のシート６１と、非肌当接面側のシート６２とは、同形同大の帯状（長方形状）のシートであり、上記伸縮シート６は、肌当接面側のシート６１と非肌当接面側のシート６２との間に、糸状の弾性部材６３を、シート６１，６２の長手方向（ＣＬ方向）に配置し、複数本の弾性部材６３それぞれを、帯状のシート６１，６２の幅方向（ＣＬ方向と直交方向）に均等に配置して形成されている。複数本の弾性部材６３それぞれは、図１に示すように、防漏壁７を形成した際、装着者の体液排泄部に当接される排泄部領域ａより長く配置されている。
【００１６】
上記伸縮シート６は、図２〜図４に示すように、表面シート２及び吸収体４を挟持するように、伸縮シート６の長手方向の一側部６ａの肌当接面側のシート６１の表面が、吸収性本体５を構成する表面シート２の肌当接面側の表面に接合されて接合部８を形成している。また、伸縮シート６の長手方向の他側部６ｂは、図２〜図４に示すように、吸収体４と裏面シート３との間に配され、他側部６ｂの非肌当接面側のシート６２の表面が、吸収体４の非肌当接面側の表面に接合されて接合部８Ｄを形成している。また、排泄部領域ａの前方の前方領域ｃ及び後方の後方領域ｂにおいて、伸縮性シート６は吸収性本体５に接合されている部分を有している。このように、帯状の伸縮シート６を、吸収性本体５の長手方向（ＣＬ方向）の側部５ａに、長手方向に沿って、配設及び接合しているため、伸縮シート６が収縮することにより、中空のループ状に起立した部分を有する防漏壁７が形成される。接合は、ヒートシールや接着剤等により行うことができる。本実施形態においては、接合部８はヒートシールにより形成されており、伸縮シート６の非肌当接面側のシート６２と吸収体４との接合は、接着剤により行われている。また、本実施形態においては、表面シート２と吸収体４との接合は、接着剤により行われている。また、本実施形態においては、伸縮シート６の肌当接面側のシート６１と裏面シート３との接合（接合部８Ｄ）は、ヒートシールにより行われている。
【００１７】
上記伸縮シート６を構成する複数本の弾性部材６３の中の数本は、図２に示すように、少なくとも排泄部領域ａにおいて、肌当接面側のシート６１と表面シート２との接合部８の長手方向（ＣＬ方向）の外側の側縁（外側縁８ｂ）の位置より防漏壁７の内方（生理用ナプキン１の中心線ＣＬ寄り）に配置されている。更に、本実施形態の生理用ナプキン１においては、図２に示すように、少なくとも排泄部領域ａにおいて、防漏壁７が、接合部８の長手方向（ＣＬ方向）の内側の側縁（内側縁８ａ）より生理用ナプキン１の内方（生理用ナプキン１の中心線ＣＬ寄り）に亘って形成されている。そのため、複数本の弾性部材６３の中の数本は、図２に示すように、少なくとも排泄部領域ａにおいて、接合部８の内側縁８ａの位置より防漏壁７の内方（生理用ナプキン１の中心線ＣＬ寄り）に、さらに配置されている。
【００１８】
上記防漏壁７は、ループ状をなしている部分の前方及び後方の少なくとも一方、本実施形態においては、図３に示すように、２つ折の個装形態の際に生じる第１折線ａ１の部分と第２折線ａ２の部分それぞれにおいて、伸縮性シートを構成する肌当接面側のシート６１と表面シート２との接合部８の上方に位置するループ状の防漏壁７の内表面同士、すなわち、防漏壁７を形成する伸縮シート６の非肌当接面側のシート６２の表面同士を接合し、接合部８の長手方向の内側縁８ａより幅方向内方に内方ループ７１及び接合部８の長手方向の外側縁８ｂより幅方向外方に外方ループ７２を有している。防漏壁７の内方ループ７１は、図３に示すように、接合部８の内側縁８ａより内方（生理用ナプキン１の中心線ＣＬ寄り）の防漏壁７の内表面同士、すなわち、伸縮シート６の非肌当接面側のシート６２の表面同士を接合せずに、形成されており、縦断面形状が円形状の空洞である。
このように、上記防漏壁７は、第１折線ａ１の部分と第２折線ａ２の部分それぞれにおいて、図３に示すように、積極的に折られておらず、曲げられて形成されている。
【００１９】
本実施形態の生理用ナプキン１の長さは、好ましくは、２４０ｍｍ〜４４０ｍｍであり、２つ折の個装形態の際に生じる第１折線ａ１と第２折線ａ２との間の長さは、生理用ナプキン１の長さに対して、２％〜６０％の範囲の長さである。
本実施形態の生理用ナプキン１の防漏壁７の内方ループ７１の円形状の空洞の幅方向（長手方向中心線ＣＬと直交方向）の長さは、好ましくは、５ｍｍ〜４０ｍｍである。
【００２０】
上記防漏壁７を形成する複合シートは、図１，図４に示すように、防漏壁７のループ状をなしている部分の前方及び後方、本実施形態においては、２つ折の個装形態の際に生じる第１折線ａ１の部分の前方と第２折線ａ２の部分の後方においては、弾性部材６３が配置されておらず、伸縮性シート６を形成していない。複合シートを形成する肌当接面側のシート６１及び非肌当接面側のシート６２は、弾性部材６３が配置されていない領域において、図１，図４に示すように、肌当接面側に凸に起立したの中空のループ状の防漏壁７を形成しないように、積極的に折り曲げられている。防漏壁７を形成する複合シートは、生理用ナプキン１の長手方向の両端部においては、表面シート２及び裏面シート３と同様に、吸収体４の長手方向の両端部から延出し、その延出部は、ヒートシールまたはホットメルト等により接合固定されている。
【００２１】
本実施形態の生理用ナプキン１の形成材料について説明する。
上記表面シート２、上記裏面シート３及び上記吸収体４としては、通常、生理用ナプキン等の吸収性物品に用いられるものであれば、特に制限なく用いることができる。
【００２２】
上記伸縮シート６としては、伸縮性を有し、少なくとも排泄部領域ａにおいてループ形状に起立すると共に、このループ形状を保ちながら違和感がなく自在に変形する剛性を持つことが好ましい。更に、防漏壁７を形成する伸縮シート６としては、２つ折の個装形態の際に生じる第１折線ａ１の部分と第２折線ａ２の部分それぞれにおいて、接合部８の内側縁８ａより内方（生理用ナプキン１の中心線ＣＬ寄り）の内表面同士を接合せずに、内方ループ７１を形成した時、このループの縦断面の円形状を保つ剛性を持つことがより好ましい。
【００２３】
上記伸縮シート６の伸縮物性は、生理用ナプキン１の長手方向（ＣＬ方向）において、５〜５０％伸張した時の応力が５０〜５００ｇｆ／２５ｍｍが好ましく、１００〜３００ｇｆ／幅２５ｍｍがより好ましい。
次に、上記伸縮シート６の剛性は、バルクソフトネス値で５〜２００ｇｆが好ましく、１０〜１００ｇｆがより好ましい。バルクソフトネス値が５ｇｆ未満であると、柔らかすぎループ形状を安定に保てず、２００ｇｆを超えると、装着時に自在に変形しなかったり、違和感となるので好ましくない。
尚、バルクソフトネスは、下記の如く測定できる。即ち、弾性シートを長手方向に１５０ｍｍ、幅方向に３０ｍｍの大きさの帯状体として切り出し、この帯状体の長手方向両端を５ｍｍ重ね合わせ、円筒状になる様にし、この重ね合わせた部分を側縁（円筒の上下縁）からほぼ１０ｍｍの位置にステープルで２ヶ所固定する。次いで、テンシロン圧縮試験機にて、圧縮速度１０ｍｍ／分の速度で圧縮し、円筒が座屈するまでの最大圧縮強度を測定する。測定回数５回の平均値をとって、バルクソフトネス値とする。
【００２４】
上記伸縮シート６のシート材料としては、伸縮性のフィルム、伸縮性の不織布、伸縮性の織物又はそれらの積層シート等が挙げられる。具体的には、天然ゴム、ポリウレタン、ポリスチレン−ポリイソプレン共重合体、ポリスチレン−ポリブタジエン共重合体、ポリエチレン−アクリル酸エチル等のポリエチレン−αオレフィン共重合体等からなる材自体が伸縮性を有する材料や、上述したように、これら伸縮性の材料を糸状にした弾性部材６３を肌当接面側のシート６１と非肌当接面側のシート６２との間に配置した複合シートが挙げられる。
【００２５】
上記伸縮シート６の肌当接面側のシート６１としては、肌触りを良好にするため、ポリエチレン／ポリエステル、ポリエチレン／ポリプロピレン、ポリプロピレンからなる熱可塑性不織布であることが好ましい。非肌当接面側のシート６２も同様である。この様な熱可塑性不織布は、不織布自体が伸縮性を有するように、クリンプ加工した繊維を用いることが好ましい。クリンプ加工されていない繊維による伸縮し難い不織布を肌当接面側のシート６１及び非肌当接面側のシート６２に使用する場合には、あらかじめ弾性部材６３を所定の伸張率まで伸張し、それを肌当接面側のシート６１及び非肌当接面側のシート６２に、ホットメルトやヒートシール等によって接着することによって、複合シートを作成しても良い。上記伸縮シート６の複数本の弾性部材６３それぞれは、肌当接面側のシート６１と非肌当接面側のシート６２との間に、等間隔で配置している。
【００２６】
また、前記伸縮シート６には色が付与されていても良く、色は該伸縮シート６の肌当接面側のシート、非肌当接面側のシート、弾性部材のいずれにまたは全てに付与されていても良い。
【００２７】
次に上述した本発明の実施形態の生理用ナプキン１を使用した際の作用効果について説明する。
本実施形態の生理用ナプキン１は、図１〜図４に示すように、一対の中空のループ状の防漏壁７，７’を備えており、ループ状の防漏壁７，７’それぞれは、図２〜図４に示すように、吸収性本体５の長手方向（ＣＬ方向）の一側部５ａにおける肌当接面側に、伸縮シート６，６’の長手方向（ＣＬ方向）の一側部６ａにおける外表面を接合することにより形成されている。このように、排泄部領域ａにおいて、防漏壁７，７’の形成に伴う接合の部位（接合部８）が、肌当接面側の表面シート２上に露出していないので、着用時に違和感を生じ難いものである。
【００２８】
また、本実施形態の生理用ナプキン１は、接合部８が排泄部領域ａの前方から後方に渡り直線状に接合されていることと、２つ折の個装形態の際に生じる第１折線ａ１の部分と第２折線ａ２の部分それぞれにおいて、接合部８の内側縁８ａより内方の防漏壁７の内表面同士が接合されておらず、内方ループ７１を形成しており、積極的に折られておらず、曲げられている。そのため、伸縮シート６，６’は、伸縮シート６，６’の剛性により撓み易く、伸縮シート６，６’が収縮すると、少なくとも排泄部領域ａに位置する一対の中空の防漏壁７，７’は、図２に示すように、断面略円状のループ形状に起立する。排泄部領域ａに位置する一対の中空の防漏壁７，７’が、ループ状に起立することにより、着用者へのフィット性が向上し、着用者の足の動き等の左右からの応力がかかった場合においても、中空のループ形状で緩衝し、生理用ナプキン１にヨレを発生しない。その為、生理用ナプキン１は、漏れ防止性の高いナプキンとなる。
【００２９】
また、本実施形態の生理用ナプキン１は、防漏壁７，７’を形成する伸縮シート６，６’の複数本の弾性部材６３の中の数本は、肌当接面側のシート６１と表面シート２との接合部８の内側縁８ａより防漏壁７の内方（生理用ナプキン１の中心線ＣＬ寄り）に配置されているため、少なくとも排泄部領域ａに位置する一対の中空の防漏壁７，７’は、図２に示すように、断面略円状のループ形状に安定して起立する。また、伸縮性シート６が着色されていると、伸縮シートの形状が認識されやすくなるためより起立の印象性を向上することができる。
【００３０】
本発明の吸収性物品は、上述の本実施形態の生理用ナプキンに何ら制限されるものではなく、本発明の趣旨を損なわない範囲で、適宜変更可能である。
【００３１】
例えば、上述の本実施形態の生理用ナプキン１においては、表面シート２と裏面シート３とが吸収体４の幅方向の両端から延出しておらず、伸縮シート６の長手方向の他側部６ｂにおける非肌当接面側のシート６２の表面が、吸収体４の非肌当接面側の表面に接合されているが、表面シート２と裏面シート３とが吸収体４の幅方向の両端から延出し接合されており、他側部６ｂにおける非肌当接面側のシート６２の表面が、延出した部分の表面シート２の肌当接面側の表面に接合されていても良い。
【００３２】
また、上述の本実施形態の生理用ナプキン１においては、、表面シート２と裏面シート３とが吸収体４の幅方向の両端から延出しておらず、伸縮シート６の一側部６ａの肌当接面側のシート６１が、吸収体４の上方に位置する表面シート２に接合しているが、表面シート２と裏面シート３とが吸収体４の幅方向の両端から延出して接合し、伸縮シート６の一側部６ａの肌当接面側のシート６１が、その延出した部分の表面シート２に接合されていても良い。
【００３３】
また、上述の本実施形態の生理用ナプキン１においては、裏面シート３の表面に粘着剤を設け、ズレを止めているが、裏面シート３側にウイングを設け、これにより装着固定を容易なものとしても良い。
【００３４】
本発明の吸収性物品は、生理用ナプキン以外にも、例えば、使い捨ておむつ、失禁者用パッド、パンティーライナー等に好適に用いることができる。
【図面の簡単な説明】
【００３５】
【図１】本発明の実施形態である生理用ナプキンの斜視図である。
【図２】図１に示す生理用ナプキンのＸ１−Ｘ１線断面図である。
【図３】図１に示す生理用ナプキンのＸ２−Ｘ２線断面図である。
【図４】図１に示す生理用ナプキンのＸ３−Ｘ３線断面図である。
【符号の説明】
【００３６】
１  生理用ナプキン
２  表面シート
３  裏面シート
４  吸収体
５  吸収性本体
５ａ，５ａ’  吸収性本体の長手方向の両側部
６，６’  伸縮シート
６１  肌当接面側のシート
６２  非肌当接面側のシート
６３，６３’  弾性部材
６ａ  一側部
６ｂ  他側部
７，７’  防漏壁
７１  内方ループ
７２  外方ループ
８，８Ｄ  接合部
８ａ  接合部の内側縁
８ｂ  接合部の外側縁
９  エンボス溝
ａ  排泄部領域
ｂ  排泄部領域ａの後方の後方領域
ｃ  排泄部領域ａの前方の前方領域
ａ１  第１折線
ａ２  第２折線
ＣＬ  生理用ナプキンの長手方向に延びる中心線
【図１】
2010042061.tif 000003
【図２】
2010042061.tif 000004
【図３】
2010042061.tif 000005
【図４】
2010042061.tif 000006